(57)【要約】【課題】情報処理装置全体の小型化と薄型化とを両立できる情報処理装置を提供すること。【解決手段】パーソナルコンピュータ１の本体部２の一端１０にバッテリ収納用の貫通部１２をキー配列部側に、そして表示部３の突出部３３を軸着して収容する収容部１３を当該貫通部１２の外側（キー配列部８と反対側）に有する凹部１１を設けた。したがって、バッテリ４と表示部３との厚さ（Ｄ＋Ｈ）でパーソナルコンピュータ１の厚さを決定でき、より薄型化が可能であると共に本体部２の一端１０の最外に表示部３の突出部３３を軸着でき、略表示部３の大きさでパーソナルコンピュータ１の大きさを決定可能となり、より小型化を図れる。【選択図】  図１
2008112328.tif 000002
【特許請求の範囲】
【請求項１】
第１の面に、表示パネルと当該表示パネルによる画像を表示可能なように収容し第１の一端に突出部を有する表示パネル用ケースとを有する表示部と、
第２の面に、入力部と、前記第２の面の第２の一端に前記第２の面からその反対面に貫通するバッテリ収納用の貫通部と当該貫通部に対して前記入力部と反対側に前記突出部を軸着して当該突出部を収容する収容部とを有する凹部とが設けられた情報処理装置本体と
を具備することを特徴とする情報処理装置。
【請求項２】
請求項１に記載の情報処理装置であって、
前記貫通部に前記反対面から着脱可能なバッテリを更に具備することを特徴とする情報処理装置。
【請求項３】
請求項２に記載の情報処理装置であって、
前記バッテリは、その厚さが前記貫通部の前記第２の面から前記反対面までの厚さと略一致することを特徴とする情報処理装置。
【請求項４】
請求項２に記載の情報処理装置であって、
前記貫通部に装着された前記バッテリ及び前記収容部に収容された前記突出部は、前記第２の面から前記反対面までの間に配置されていることを特徴とする情報処理装置。
【請求項５】
請求項１に記載の情報処理装置であって、
前記突出部は、前記表示パネル用ケースの前記第１の面に立設されており、その両側を挟むように前記収容部の側壁に設けられた支持部により軸着されていることを特徴とする情報処理装置。
【請求項６】
請求項１に記載の情報処理装置であって、
前記突出部は、信号を送受信可能なアンテナを内部に有することを特徴とする情報処理装置。
【請求項７】
請求項６に記載の情報処理装置であって、
前記突出部は、少なくとも前記アンテナを覆う部分が樹脂材料により形成されていることを特徴とする情報処理装置。
【請求項８】
請求項１に記載の情報処理装置であって、
前記突出部は、前記表示パネルに電気的に接続された回路基板を内部に有することを特徴とする情報処理装置。
【請求項９】
請求項８に記載の情報処理装置であって、
前記回路基板は、前記表示パネルに可撓性基板により電気的に接続されており、前記表示パネルを駆動する半導体装置を有することを特徴とする情報処理装置。
【請求項１０】
請求項１に記載の情報処理装置であって、
前記第２の一端は、その前記入力部と反対側の最外側下端にテーパー面を有し、前記表示部を前記軸中心に回動させて所定の開度に開いたときに、前記表示パネル用ケースが当該テーパー面に当接することを特徴とする情報処理装置。
【発明の詳細な説明】
【技術分野】
【０００１】
本発明は、本体部と表示部とを備えた情報処理装置に関する。
【背景技術】
【０００２】
従来、ノート型パーソナルコンピュータやモバイルコンピュータ等と呼ばれる携帯型の情報処理装置においては、本体と表示部を備えており、その表示部は本体に対して例えばヒンジを介して開閉できるようになっている。
【０００３】
しかし、最近の携帯型の情報処理装置はバッテリによる長時間駆動が可能であることを求められてきており、その際のバッテリの大型化による当該情報処理装置の大型化及び厚さが厚くなると共に持ち運び難いという問題があった。
【０００４】
そこで、所定の情報処理を実行する本体部と、当該本体部の所定の第１の面に取り付けられた第１のバッテリ部と、この第１のバッテリ部に本体部に近づく方向及び逆のこの本大部から離れる方向に回動自在に保持され、当該第１のバッテリ部に対して本体部に近づく方向に回動したときに一面を当該本体部の第１の面に隣接する第２の面に当接させる第２のバッテリ部とを設けることが提案されている。  
【特許文献１】特表２０００−３３０６７２号公報（段落[００１４]、図５）
【発明の開示】
【発明が解決しようとする課題】
【０００５】
しかしながら、上記特許文献１に記載の方法により、バッテリ部の大容量化にかかわらずその情報処理装置全体としての平面的大きさを小さくすることが可能でその分、持ち運びも容易となったが、一方で第１及び第２のバッテリ部を取付け対象の第１及び第２の面に沿わせるように一体化すると当該情報処理装置全体としての厚さが厚くなってしまうという問題も考えられた。
【０００６】
以上のような事情に鑑み、本発明の目的は、情報処理装置全体の小型化と薄型化とを両立できる情報処理装置を提供することにある。
【課題を解決するための手段】
【０００７】
上記目的を達成するために、本発明に係る情報処理装置は、第１の面に、表示パネルと当該表示パネルによる画像を表示可能なように収容し第１の一端に突出部を有する表示パネル用ケースとを有する表示部と、第２の面に、入力部と、前記第２の面の第２の一端に前記第２の面からその反対面に貫通するバッテリ収納用の貫通部と当該貫通部に対して前記入力部と反対側に前記突出部を軸着して当該突出部を収容する収容部とを有する凹部とが設けられた情報処理装置本体とを具備することを特徴とする。
【０００８】
近年の情報処理装置例えばノート型パーソナルコンピュータは長時間駆動を目指し、リチウムイオン電池等を用いており、かつ高容量リチウムイオンセル等を使用することが必須条件となっている。そのためには、ある程度の厚さを持ったセルの使用が必須となっており、従来は、より小型化薄型化を図ろうとするとヒンジとバッテリとを重ねて配置し、その厚さでノート型パーソナルコンピュータの厚さが決まるか、ヒンジを避けるようにバッテリを後方に出っ張らせてその大きさでノート型パーソナルコンピュータの大きさが決まっていた。
【０００９】
本発明では、情報処理装置本体の第２の一端にバッテリ収納用の貫通部を入力部側に、そして表示部の突出部を軸着して当該突出部を収容する収容部を当該貫通部の外側（入力部と反対側）に有する凹部を設けた。したがって、突出部を軸着する収容部とバッテリとが平面的に重なることを避けることができるので、バッテリと表示部との厚さで情報処理装置の厚さを決定でき、より薄型化が可能である。また、同時に突出部を軸着する収容部がバッテリの外側（入力部と反対側）に配置されるので、情報処理装置本体の一端の最外に表示部の突出部を軸着でき、略表示部の大きさで情報処理装置の大きさを決定可能となり、より小型化を図れる。
【００１０】
更に表示部の表示パネルや表示パネル用ケースの第１の面と、入力部と貫通部及び収容部を有する凹部とが設けられた第２の面とを略同じ大きさとすることで、表示部の大きさで情報処理装置の大きさが決定できるので、大画面の表示部でありながら情報処理装置全体としてはより小型化を図ることが可能となる。
【００１１】
本発明の一の形態によれば、前記貫通部に前記反対面から着脱可能なバッテリを更に具備することを特徴とする。これにより、情報処理装置本体の第２の一端に凹部の収容部を設け、表示部の突出部を収容してもバッテリの着脱が極めて容易にできる。
【００１２】
本発明の一の形態によれば、前記バッテリは、その厚さが前記貫通部の前記第２の面から前記反対面までの厚さと略一致することを特徴とする。これにより、バッテリが情報処理装置本体の第２の面やその反対面から突出することが無く、表示部を情報処理装置本体側に閉じたときも表示パネル等の邪魔にならずに、最大のバッテリ厚さを確保できることとなる。
【００１３】
本発明の一の形態によれば、前記貫通部に装着された前記バッテリ及び前記収容部に収容された前記突出部は、前記第２の面から前記反対面までの間に配置されていることを特徴とする。これにより、バッテリや突出部が情報処理装置本体の第２の面やその反対面から突出することが無く、表示部を情報処理装置本体側に閉じたときも表示パネル等の邪魔にならず、情報処理装置全体としての薄型化及び小型化を図ることができる。
【００１４】
本発明の一の形態によれば、前記突出部は、前記表示パネル用ケースの前記第１の面に立設されており、その両側を挟むように前記収容部の側壁に設けられた支持部により軸着されていることを特徴とする。これにより、軸着される突出部の存在が第１の面としての大きさ（平面的大きさ）を大きくさせることが無く、表示部に必要な表示パネルと突出部を除いた表示パネル用ケースだけで表示部の大きさ、ひいては情報処理装置全体の大きさが表示パネルとその突出部を除いた表示パネル用ケースだけで決定されることとなり、表示部の表示領域を最大にすることが可能となる。
【００１５】
本発明の一の形態によれば、前記突出部は、信号を送受信可能なアンテナを内部に有することを特徴とする。これにより、アンテナを表示部の突出部を除いた表示パネル用ケース内とか情報処理装置本体内に設ける必要がなく、表示領域を広げることが可能となると共に情報処理装置全体としての小型化を図ることができる。
【００１６】
本発明の一の形態によれば、前記突出部は、少なくとも前記アンテナを覆う部分が樹脂材料により形成されていることを特徴とする。これにより、突出部内のアンテナからの電波や外からの電波等を邪魔されずにアンテナに送受信させることができる。
【００１７】
本発明の一の形態によれば、前記突出部は、前記表示パネルに電気的に接続された回路基板を内部に有することを特徴とする。これにより、突出部を除いた表示パネル用ケースから回路基板を外すことができ、当該表示パネル用ケースをより小型化して表示部の表示領域を広げることが可能となる。
【００１８】
本発明の一の形態によれば、前記回路基板は、前記表示パネルに可撓性基板により電気的に接続されており、前記表示パネルを駆動する半導体装置を有することを特徴とする。これにより、突出部の中により効率的に回路基板等を収納することができる。
【００１９】
本発明の一の形態によれば、前記第２の一端は、その前記入力部と反対側の最外側下端にテーパー面を有し、前記表示部を前記軸中心に回動させて所定の開度に開いたときに、前記表示パネル用ケースが当該テーパー面に当接することを特徴とする。これにより、表示部の情報処理装置本体からの開度を所望のところで保持でき、表示部が開きすぎてしまうことを防ぐことができる。
【発明の効果】
【００２０】
以上のように、本発明によれば、情報処理装置全体の小型化と薄型化とを両立できる。
【発明を実施するための最良の形態】
【００２１】
以下、本発明の実施の形態を図面に基づき説明する。尚、以下の説明では、情報処理装置の一例としてノート型パーソナルコンピュータ（以下単に「パーソナルコンピュータ」という。）について説明するが、勿論これに限られるものではない。
【００２２】
図１は、本発明の第１の実施形態に係るパーソナルコンピュータの表示部を開いた状態の概略を示す斜視図、図２は、表示部を閉じた状態の裏面の概略斜視図、図３は、図２のＡ−Ａ線断面図、図４は、本体部の概略平面図、図５は、表示部の説明図及び図６は、図２からバッテリを取り外した状態の説明図である。尚、断面図における本体部やバッテリの内部機構は説明の都合上省略してある。
【００２３】
パーソナルコンピュータ１は、例えば図１に示すように情報処理などを行う情報処理装置本体としての本体部２、その本体部２からの画像情報を受け画像を表示するとともに後述するヒンジ機構により当該本体部２に開閉可能な表示部３及び本体部２に電源電圧を供給するバッテリ４等を有する。
【００２４】
ここで、本体部２は例えば図１及び図４に示すように略直方体のプラスチック等の非金属筺体５で覆われ、第２の面としての上面６の略中央に入力部としての操作キー７が配列されたキー配列部８、その他のポインティングデバイス９等が配置されている。また、当該上面６の第２の一端としての一端１０の中央には略矩形にキー配列部８側に窪んだ凹部１１を有する。
【００２５】
凹部１１は、例えば図４に示すようにキー配列部８側にバッテリ収納用の貫通部１２と当該貫通部１２に対しキー配列部８と反対側である外側に後述する表示部３の突出部が軸着されるように収容される収容部１３とが一体的に設けられている。すなわち、例えば図３及び図５に示すように凹部１１のキー配列部８側からＢ（図３及び図５中のＢ）の長さで貫通部１２となり、当該貫通部１２の外側から最外側までＣ（図３及び図５中のＣ）の長さで収容部１３となっている。
【００２６】
また、貫通部１２は、例えば図３及び図４に示すように本体部２の上面６からその反対面である裏面１４に貫通して設けられており、丁度バッテリ４が収納されるように上面６から裏面１４までの厚さがバッテリ４と略同じ厚さＤ（図３中のＤ）とされている。
【００２７】
更に貫通部１２は、例えば図６に示すようにキー配列部８側の内壁１５の略中央に図示しないバッテリ側コネクタと電気的に接続される本体部側コネクタ１６を有しており、当該本体部側コネクタ１６を介して本体部２や表示部３にバッテリ４から電源電圧を供給する。また、貫通部１２は例えば図６に示すようにその両側壁１７の収容部１３側にバッテリ４の溝に挿入可能に例えば略円柱形の凸部１８が形成されている。これにより、後述するように本体部２へのバッテリ４の装着が極めて容易となっている。
【００２８】
収容部１３は、例えば図３及び図４に示すように本体部２の一端１０から切り込まれた凹部１１の一番外側に設けられており、後述する表示部３の突出部が軸着されて収容されるものである。具体的には、収容部１３の内壁としての両側壁１９の内部に円筒形の連結管２０の一端を回動可能に支持する支持部２１が設けられており、当該連結管２０の他端が後述する突出部内に設けられた保持部にやはり回動可能に保持されて、ヒンジ機構２２を構成している。これにより、表示部３が収容部１３内で回動軸中心Ｅ(図４中のＥ)に回動可能となり表示部３の表示領域Ｆ(図３及び図５中のＦ)をより広く確保できると共に、同じ表示領域Ｆであればパーソナルコンピュータ１の全長を小さくできる。
【００２９】
また、収容部１３は例えば図２及び図３に示すように収容部１３の両側の一端１０のキー配列部８と反対側の最外側下端にテーパー状に斜めにカットされたテーパー面３８が設けられている。これにより、表示部３を最大まで開いたときに丁度表示パネル用ケース２４が例えば図１に示すように当該テーパー面３８に当接し、表示部３の開度を安定的に保持できる。
【００３０】
次に、表示部３は例えば図３及び図５に示すように画像を表示する表示パネル２３及びその表示パネル２３による画像を表示可能なように開口が設けられた表示パネル用ケース２４を有する。
【００３１】
ここで、表示パネル２３は、例えば液晶表示パネルが用いられており、図３に示すように対向する一対のガラス基板２５の間に液晶２６が封止され、両ガラス基板２５の図示しない電極によって液晶２６に電圧が印加されることとなる。また、当該電極への電気的接続は、例えば可撓性基板としてのフレキシブル基板２７上の図示しない配線パターンが用いられており、その配線パターンに半導体装置としての液晶駆動用ドライバ２８が実装された回路基板２９が電気的に接続されている。
【００３２】
更に当該回路基板２９には外部と信号を送受信可能なアンテナ３０が設けられており、例えばアンテナ３０は、日欧米５社が１９９８年５月に標準化活動を開始した近距離無線通信技術であるBluetoothに対応することができるように構成されている。
【００３３】
また、表示パネル用ケース２４は、例えば図３及び図５に示すように第１の面としての画像を表示する表示側面３１では、表示パネル２３による画像を表示可能なように略中央に矩形の開口を有し、額縁状に形成されており、当該額縁状の表示側面３１の第１の一端である一端３２に略垂直に立設された突出部３３を有する。
【００３４】
突出部３３は、例えば図３に示すように断面形状が表示側面３１から略四角形に立設し、その上端が半円形となるように形成され、図２及び図３に示すようにその貫通部１２と反対側の側面３３ａが、表示パネル用ケース２４の端面２４ａと連続するように形成されている。
【００３５】
また、突出部３３は例えば図４及び図５に示すように丁度収容部１３に収まる程度の横幅（図５中のＸ軸方向の長さ）を有し、表示部３の端である一端３２と本体部２の一端１０が略一致し、パーソナルコンピュータ１の全長を表示部３の全長まで小さくすることができることとなる。また、突出部３３の突出方向の厚さＧ（図３中のＧ）は、本体部２の上面６から裏面１４までの厚さＤより小さく（Ｇ<Ｄ）形成されており、これによりバッテリ４の厚さＤと表示部３の厚さＨ（図３中のＨ）との厚さによりパーソナルコンピュータ１の厚さが実現できることとなる。
【００３６】
更に突出部３３は、内部が空洞に形成されており、その内部に例えば図３及び図５に示すようにガラス基板２５に接続されたフレキシブル基板２７及び当該フレキシブル基板２７に電気的に接続された回路基板２９及びアンテナ３０が内蔵されている。これにより、アンテナ３０や回路基板２９等を突出部内にまわした分、表示側面３１での表示パネル用ケース２４の占める面積を少なくすることができるので、表示領域Ｆをより大きく取れることとなる。更に突出部３３のアンテナ３０を覆う部分は、当該アンテナ３０の電波等の出入を妨げないよう非金属材料例えばプラスチック等の樹脂材料等で形成されている。
【００３７】
また、突出部３３は例えば図５に示すように両端に本体部２の連結管２０の一端を回動可能に保持する保持部３４を有し、当該連結管２０の内部に回路基板２９に電気的に接続された図示しない配線が通されて本体部内に導かれている。これにより、ヒンジ機構２２が本体部２の支持部２１、連結管２０及び表示部３の保持部３４により構成されることとなり、夫々の中心軸が表示部３の回動軸中心Ｅ（図３乃至図５中のＥ）となって、当該回動軸中心に表示部３が開閉することとなる。
【００３８】
次に、バッテリ４は例えば図１、図３及び図４に示すように本体部２の貫通部１２に丁度収納されており、バッテリ４の表側面が上面６の一部となり、底面３５が裏面１４の一部となっている。すなわち、上面６から裏面１４までの厚さＤが当該バッテリ４の厚さと略一致するように形成されている。
【００３９】
また、バッテリ４は例えば図６に示すようにその両側壁３６に貫通部１２の側壁１７の凸部１８が嵌挿するように溝３７を有し、本体部側コネクタ１６に丁度対応する位置に図示しないバッテリ側コネクタが設けられている。
【００４０】
更にバッテリ４は、その内部に例えばリチウム２次電池のような複数の２次電池が収納されており、バッテリ側コネクタ及び本体部側コネクタ１６を順次介して本体部内に電源電圧を供給する。
【００４１】
尚、上述の説明では凹部１１のバッテリ４の収納部分を貫通するものとして説明したがこれに限られるものではなく、例えばバッテリ収納部分が貫通していなくても突出部３３が収容される収容部１３より入力部であるキー配列部側にバッテリ４を配置するようにすれば、パーソナルコンピュータ１の厚さを薄くすると共に表示部３の大きさまで小型化することが可能となる。ただし、貫通するようにすることがパーソナルコンピュータ１の厚さを表示部３とバッテリ４との厚さで決定できる点でより好ましいことは勿論である。
【００４２】
以上のように構成されたパーソナルコンピュータ１の動作について特に表示部の開閉及びバッテリの着脱を中心に説明する。図７は、表示部の開閉の説明図及び図８は、バッテリの装着の説明図である。
【００４３】
例えば図７の（ａ）は、表示部３の表示側面３１が本体部２の上面６に重ねられて閉じられた状態であるが、この状態で本体部２の収容部１３及び表示部３の突出部３３がバッテリ４より外側に配置されており、しかも当該突出部３３が表示パネル用ケース２４の表示側面３１から突出して設けられているので、本体部２の大きさ（上面6の大きさ）が表示部３の大きさ(表示側面３１の大きさ)と略一致している。
【００４４】
この状態から表示部３を例えば図示しないスライドレバーのロックを解除して図７（ａ）の矢印Ｉのように回動軸中心Ｅで回動させることで図７（ｂ）のように表示部３を開くことができる。このとき、図７（ｂ）に示すように収容部１３の両側一端１０の上方が円弧状に形成されているので、表示部３が当該一端１０にぶつからず、スムーズに回動させることができる。更にバッテリ４が、突出部３３が収容される収容部１３や一端１０の最外側まで飛び出していないので、表示領域Ｆをより広く取りながら表示部３を回動軸中心Ｅで開閉できる。
【００４５】
また、例えば上面６から表示側面３１までの角度が所定の角度θとなる開度となったときに、図７（ｂ）に示すように収容部１３の両側一端１０の下方に設けられたテーパー面３８に当該表示側面３１の表示パネル用ケース２４が当接し、所望の開度で表示部３を固定できる。
【００４６】
次に、バッテリ４の本体部２(貫通部１２)への着脱について説明する。
【００４７】
例えば図８に示すようにバッテリ４を本体部２の貫通部１２に装着するには、バッテリ４の両側壁３６の溝３７に貫通部１２の両側壁１７に設けられた凸部１８が挿入されるように幾分斜めにバッテリ４の先端を貫通部１２に挿入する。
【００４８】
その後、図８に示すような状態になったバッテリ４の底面３５を当該バッテリ側コネクタが本体部側コネクタ１６に電気的に接続されるように図８に示す矢印Ｊの方向に回転させながら押し込むことにより、バッテリ４が本体部２（貫通部１２）に装着されることとなる。尚、図示しないが正しく装着されるとカチッと音がしてロックがかかり、バッテリ４が貫通部１２から脱落しないように保持される。
【００４９】
バッテリ４を外すときは上記装着と逆の動作により安全且つ迅速にバッテリ４を本体部２（貫通部１２）から取り外すことができる。
【００５０】
このように本実施形態によれば、パーソナルコンピュータ１の本体部２の一端１０にバッテリ収納用の貫通部１２をキー配列部側に、そして表示部３の突出部３３を軸着して収容する収容部１３を当該貫通部１２の外側（キー配列部８と反対側）に有する凹部１１を設けた。したがって、突出部３３を軸着する収容部１３とバッテリ４とが平面的に重なることを避けることができるので、バッテリ４と表示部３との厚さ（Ｄ＋Ｈ）でパーソナルコンピュータ１の厚さを決定でき、より薄型化が可能である。また、同時に突出部３３を軸着する収容部１３がバッテリ４の外側（入力部と反対側）に配置されるので、本体部２の一端１０の最外に表示部３の突出部３３を軸着でき、略表示部３の大きさでパーソナルコンピュータ１の大きさを決定可能となり、より小型化を図れる。
【００５１】
更に表示部３の表示パネル２３や表示パネル用ケース２４の表示側面３１とキー配列部８や貫通部１２、収容部１３を有する凹部１１が設けられた上面６とが略同じ大きさであるので、表示部３の大きさでパーソナルコンピュータ１の大きさが決定できる。したがって、大画面の表示部３でありながらパーソナルコンピュータ全体としては、より小型化を図ることが可能となる。
【００５２】
また、貫通部１２に裏面１４から着脱可能なバッテリ４を更に具備することとしたので、本体部２の一端１０に凹部１１の収容部１３を設け、表示部３の突出部３３を収容してもバッテリ４の着脱が、極めて容易にできる。
【００５３】
更にバッテリ４は、その厚さが貫通部１２の上面６から裏面１４までの厚さＤと略一致することとしたので、バッテリ４が本体部２の上面６やその裏面１４から突出することが無く、表示部３を本体部側に閉じたときも表示パネル等の邪魔にならずに、最大のバッテリ厚さを確保できることとなる。
【００５４】
また、突出部３３は、表示パネル用ケース２４の表示側面３１に立設されており、その両側を挟むように収容部１３の側壁１７に設けられた支持部２１により軸着されていることとした。これにより、軸着される突出部３３の存在が表示側面３１としての大きさ（平面的大きさ）を大きくさせることが無い。したがって、表示に必要な表示パネル２３とその表示パネル用ケース(突出部３３を除いた)だけで表示側面３１の大きさ、ひいてはパーソナルコンピュータ１全体の大きさが決定されることとなり、表示部３の表示領域Ｆを最大にすることが可能となる。
【００５５】
更に突出部３３は、信号を送受信可能なアンテナ３０を内部に有することとしたので、アンテナ３０を表示部３の突出部３３以外の表示パネル用ケース内とか本体部内に設ける必要がなく、パーソナルコンピュータ全体としての小型化を図ることができる。
【００５６】
また、突出部３３は、内蔵されたアンテナ３０を覆う部分が例えばプラスチック等の樹脂材料により形成されていることとしたので、突出部内のアンテナ３０からの電波や外からの電波等の信号が邪魔されずにアンテナ３０に送受信させることができる。
【００５７】
更に突出部３３は、表示パネル２３に電気的に接続された回路基板２９を内部に有することとしたので、突出部３３を除いた表示パネル用ケース２４から回路基板２９を外すことができ、表示側面３１としての当該表示パネル用ケース２４をより小型化して表示部３の表示領域Ｆを広げることが可能となる。
【００５８】
また、回路基板２９は、表示パネル２３にフレキシブル基板２７により電気的に接続されており、液晶表示パネルである表示パネル２３を駆動する液晶駆動用ドライバ２８を有することとしたので、突出部３３の中により効率的に回路基板等を収納することができる。
【００５９】
更に一端１０は、そのキー配列部８と反対側の最外側下端にテーパー面３８を有し、表示部３を軸中心としての回動軸中心Ｅに回動させて所定の開度（上面６からの角度がθとなる開度）に開いたときに、表示パネル用ケース２４が当該テーパー面３８に当接することとした。これにより、表示部３を所望の開度に保持させることが容易となり、表示部３が本体部２から開きすぎてしまうことを防ぐことができる。
【００６０】
以上、好ましい実施形態を挙げて本発明を説明したが、本発明は上述した実施形態に限定されず、本発明の技術思想の範囲内で適宜変更して実施できるものである。
【図面の簡単な説明】
【００６１】
【図１】第１の実施形態に係るパーソナルコンピュータの概略を示す斜視図である。
【図２】パーソナルコンピュータの表示部を閉じた状態の裏面の概略斜視図である。
【図３】図２のＡ−Ａ線断面図である。
【図４】パーソナルコンピュータの本体部の概略平面図である。
【図５】パーソナルコンピュータの表示部の説明図である。
【図６】図２からバッテリを取り外した状態の説明図である。
【図７】パーソナルコンピュータの表示部の開閉の説明図である。
【図８】パーソナルコンピュータのバッテリの装着の説明図である。
【符号の説明】
【００６２】
１…パーソナルコンピュータ
２…本体部
３…表示部
４…バッテリ
６…上面
８…キー配列部
１０，３２…一端
１１…凹部
１２…貫通部
１３…収容部
１４…裏面
１７，１９，３６…側壁
２１…支持部
２３…表示パネル
２４…表示パネル用ケース
２７…フレキシブル基板
２８…液晶駆動用ドライバ
２９…回路基板
３０…アンテナ
３１…表示側面
３３…突出部
３８…テーパー面
【図１】
2008112328.tif 000003
【図２】
2008112328.tif 000004
【図３】
2008112328.tif 000005
【図４】
2008112328.tif 000006
【図５】
2008112328.tif 000007
【図６】
2008112328.tif 000008
【図７】
2008112328.tif 000009
【図８】
2008112328.tif 000010